Podtech/llm-jp-corpus-v4-ja_patent huggingface dataset:
(57)【要約】      （修正有）【課題】ボルトの長さ、呼び径、本数を同心円上に配置することで、多種多様なフランジに対して、その適切なボルトの長さ、呼び径、本数を複雑な計算をしないで目視可能とするフランジ用ボルト選定ツールを提供する。【解決手段】多種多様なフランジに対しその適切なボルトの長さ５、６、呼び径４、本数７をＪＩＳ（日本工業規格）およびＪＰＩ（石油学会）規格の計算式で、あらかじめ計算し、呼び径、本数とともにその数値を第１円板の両面１に配置し、表示窓１０〜１３を設けた第２円板８および第３円板を両面に重ね、中心を回転可能に固定し、表示窓を同心円上を移動させることによって該当部分のみ目視可能となる。【選択図】図１
0003220003.tif 000002
【実用新案登録請求の範囲】
【請求項１】
計装工事に用いるフランジ用ボルトの長さ、呼び径、本数を第１円板の両面に配置し、表示窓を設けた第２円板および第３円板を両面に重ねて回転可能に固定し、表示窓を移動させてその値を読み取ることを特徴とするフランジ用ボルト選定ツール。
【考案の詳細な説明】
【技術分野】
【０００１】
本考案は、計装工事に用いるフランジ用ボルトの選定に関するものである。
【背景技術】
【０００２】
計装工事に用いるフランジは、JIS（日本工業規格）または、JPI（石油学会）規格に規定されているものが使用されている。
【０００３】
しかし、JIS（日本工業規格）のフランジとJPI（石油学会）規格のフランジがそれぞれ独立した体系で製造されており、互換性がないため、それらに使用されるボルトについても多種多様となっている。
【０００４】
フランジ及びボルトの仕様については、配管仕様書で指定があるが、ボルトの長さについては、フランジの厚み、シール材の厚み、ナットの高さ及び余長を考慮して工事業者が、決定しなければならない。
【０００５】
従来は、その都度必要な計算をして、長さを選定していた。しかし、現場では十分な資料がないため、概算になり、その結果長すぎたり、短かすぎて使用不可となるものがあった。
【先行技術文献】
【非特許文献】
【０００６】
【非特許文献１】JIS  B1217-2018  日本工業規格  「フランジ用ボルト」
【非特許文献２】JＰI-7S-15-2011  石油学会規格  「石油工業用フランジ」
【考案の概要】
【考案が解決しようとする課題】
【０００７】
解決しようとする課題は、多種多様なフランジに対して、その適切なボルトの長さがフランジの厚み、ナットの高さ、などのデータがないと、決定できない点である。
【課題を解決するための手段】
【０００８】
本考案は、多種多様なフランジに対して、その適切なボルトの長さを、あらかじめ計算し、呼び径、本数とともにその数値を第１円板の両面に配置し、当該部分のみを目視可能とするために、表示窓を設けた第２円板および第３円板を両面に重ねて使用することを特徴とする。
【考案の効果】
【０００９】
本考案の選定ツールは、JIS（日本工業規格）、JPI（石油学会）規格のそれぞれのフランジについて、サイズ別、クラス別に、任意のフランジに対応するボルトの長さ、呼び径、本数が即座に確認できるという利点がある。
【図面の簡単な説明】
【００１０】
【図１】図１は本考案の表面の構成を示した説明図である。（実施例１）
【図２】図２は本考案の裏面の構成を示した説明図である。（実施例２）
【考案を実施するための形態】
【００１１】
使用するフランジに適合したボルトの長さ、呼び径、本数を即座に表示するという目的を、第２円板、第３円板に設けた表示窓を同心円上を回転させることにより実現した。
【実施例】
【００１２】
図１は、本考案の表面の説明図であり、第１円板の表面および第２円板の構成を表示している。
【００１３】
図２は、本考案の裏面の説明図であり、第１円板の裏面および第３円板の構成を表示している。
【００１４】
ＪＩＳ（日本工業規格）では、フランジ用ボルトの長さの計算に下記の数式１を定めている。下記の表１は、数式１に使われている記号の説明を示している。
【数１】
0003220003.tif 000003
【表１】
0003220003.tif 000004
【００１５】
ＪPＩ（石油学会）規格では、フランジ用ボルトの長さの計算に下記の数式２を定めている。下記の表２は、数式２に使われている記号の説明を示している。
【数２】
0003220003.tif 000005
【表２】
0003220003.tif 000006
【産業上の利用可能性】
【００１６】
フランジの呼び径選択マークを回転させることによって、計算器や他の資料を必要とせず。適合するボルトの長さ、呼び径、本数を選定することができる。配管工事だけでなく、計器類の取り付け用にも適用できる。
【符号の説明】
【００１７】
１    第１円板の表面（JIS（日本工業規格）フランジ用）
２    JIS（日本工業規格）フランジのクラス
３    JIS（日本工業規格）フランジの呼び径
４    ボルト（メートルねじ）の呼び径
５    JIS（日本工業規格）フランジ用スタッドボルトの選定長
６    JIS（日本工業規格）フランジ用マシンボルトの選定長
７    JIS（日本工業規格）フランジ用ボルト本数
８    第２円板（JIS（日本工業規格）フランジ用）
９    JIS（日本工業規格）フランジ用呼び径選択マーク
１０    表示窓１（ボルト（メートルねじ）の呼び径）
１１    表示窓２（JIS（日本工業規格）フランジ用スタッドボルトの選定長）
１２    表示窓３（JIS（日本工業規格）フランジ用マシンボルトの選定長）
１３    表示窓４（JIS（日本工業規格）フランジ用ボルト本数）
１４    JIS（日本工業規格）フランジ用マシンボルトの組立図
１５    JIS（日本工業規格）フランジ用スタッドボルトの組立図
１６    第１円板の裏面（JPI（石油学会）規格フランジ用）
１７    JPI（石油学会）規格フランジのクラス
１８    JPI（石油学会）規格フランジの呼び径
１９    ボルト（ユニファイねじ）の呼び径
２０    JPI（石油学会）規格フランジRJ（リングジョイント座）用スタッドボルトの選定長
２１    JPI（石油学会）規格フランジRF（平面座）用スタッドボルトの選定長
２２    JPI（石油学会）規格フランジ用ボルト本数
２３    第３円板（JPI（石油学会）規格）フランジ用）
２４    JPI（石油学会）規格フランジ用呼び径選択マーク
２５    表示窓５（ボルト（ユニファイねじ）の呼び径）
２６    表示窓６（RJ（リングジョイント座）用スタッドボルトの選定長）
２７    表示窓７（RF（全面座）用スタッドボルトの選定長）
２８    表示窓８（JPI（石油学会）規格フランジ用ボルト本数）
２９    JPI（石油学会）規格フランジRF（平面座）用スタッドボルトの組立図
３０    JPI（石油学会）規格フランジRJ（リングジョイント座）用スタッドボルトの組立図
【図１】
0003220003.tif 000007
【図２】
0003220003.tif 000008
(57)【要約】      （修正有）【課題】より簡易な構成により水の酸素濃度を高めることができる飼育水槽を提供する。【解決手段】水槽本体１０と、水槽本体の上部開口面を塞ぐ密封蓋２０と、酸素濃度が通常の空気よりも高く且つ常圧よりも高い気圧の高気圧高酸素濃度空気を生成し、生成された高気圧高酸素濃度空気を水槽本体に入れられた水の水面と密封蓋との空隙に注入する高気圧高酸素濃度空気注入手段３０とを備える。高気圧高酸素濃度空気注入手段は、酸素３０％〜５０％、空気５０％〜７０％の割合で混合した高酸素濃度空気を生成する。また、常圧より高く２気圧以下の気圧に加圧した高気圧空気を生成する。【選択図】図１
0003220005.tif 000002
【実用新案登録請求の範囲】
【請求項１】
魚介類を飼育する飼育水槽において、
水槽本体と、
該水槽本体の上部開口面を塞ぐ密封蓋と、
酸素濃度が通常の空気よりも高く且つ常圧よりも高い気圧の高気圧高酸素濃度空気を生成し、生成された該高気圧高酸素濃度空気を該水槽本体に入れられた水の水面と該密封蓋との空隙に注入する高気圧高酸素濃度空気注入手段とを備えることを特徴とする飼育水槽。
【請求項２】
前記高気圧高酸素濃度空気注入手段が、酸素と空気とを、酸素３０％〜５０％、空気５０％〜７０％の割合で混合して前記高気圧高酸素濃度空気を生成することを特徴とする請求項１記載の飼育水槽。
【請求項３】
前記高気圧高酸素濃度空気注入手段が、常圧より高く２気圧以下の気圧に加圧して前記高気圧高酸素濃度空気を生成することを特徴とする請求項１又は請求項２記載の飼育水槽。
【考案の詳細な説明】
【技術分野】
【０００１】
本考案は、魚介類を飼育する飼育水槽に関する。
【背景技術】
【０００２】
従来より、魚介類の飼育水槽において水中の酸素濃度を維持又は高める構成が提案されてきている。例えば、特許文献１に示す加圧式酸素溶解装置では、水と気体酸素をポンプで圧力タンク内に送り、酸素を大量に水に溶かした上で、加圧水槽に送る構成である。
【先行技術文献】
【特許文献】
【０００３】
【特許文献１】特開平２−２２２６３６号公報
【考案の概要】
【考案が解決しようとする課題】
【０００４】
しかしながら、従来の水中の酸素濃度を維持又は高める構成では、装置構成が複雑であったり大がかりであるという問題点がある。
【０００５】
本考案は、このような事情に鑑みてなされたもので、より簡易な構成により水の酸素濃度を高めることができる飼育水槽を提供することができる。
【課題を解決するための手段】
【０００６】
請求項１記載の飼育水槽は、水槽本体と、水槽本体の上部開口面を塞ぐ密封蓋と、酸素濃度が通常の空気よりも高く且つ常圧よりも高い気圧の高気圧高酸素濃度空気を生成し、生成された高気圧高酸素濃度空気を水槽本体に入れられた水の水面と密封蓋との空隙に注入する高気圧高酸素濃度空気注入手段とを備えることを特徴とする。
【０００７】
請求項２記載の飼育水槽は、高気圧高酸素濃度空気注入手段が、酸素と空気とを、酸素３０％〜５０％、空気５０％〜７０％の割合で混合して高気圧高酸素濃度空気を生成することを特徴とする。
【０００８】
請求項３記載の飼育水槽は、高気圧高酸素濃度空気注入手段が、常圧より高く２気圧以下の気圧に加圧して高気圧高酸素濃度空気を生成することを特徴とする。
【考案の効果】
【０００９】
本願考案の飼育水槽によれば、より簡易な構成により水の酸素濃度を高めることができる。
【図面の簡単な説明】
【００１０】
【図１】本考案に係る飼育水槽の構成の一例を示す説明図である。
【考案を実施するための形態】
【００１１】
以下、本考案の形態について図面を参照しながら具体的に説明する。本考案に係る飼育水槽の構成の一例を示す説明図である。
【００１２】
飼育水槽１は、魚介類ｆ（魚のみ記載しているが、飼育水槽１で飼育可能なものであれば、限定されるものではない）を飼育するためのものである。飼育水槽１は、水槽本体１０、密封蓋２０、高気圧高酸素濃度空気注入手段３０等から構成されている。
【００１３】
水槽本体１０は、水ｗを入れて魚介類ｆを飼育するものである。尚、水槽本体１０の形状、材質、大きさ等によって制限されるものではない。密封蓋２０は、水槽本体１０の上部開口面を塞ぐもので、水槽本体１０に入れられた水ｗの水面ｗｓと密封蓋２０との間に空隙ｓができるように、密封蓋２０を水槽本体１０に配置して、水槽本体１０に水ｗを入れるようにする。
【００１４】
高気圧高酸素濃度空気注入手段３０は、酸素濃度が通常の空気よりも高く且つ常圧よりも高い気圧の高気圧高酸素濃度空気を生成し、生成された高気圧高酸素濃度空気を水槽本体１０に入れられた水ｗの水面ｗｓと密封蓋２０との空隙ｓに注入するためのものである。高気圧高酸素濃度空気注入手段３０は、具体的には、酸素濃度が通常の空気よりも高く且つ常圧よりも高い気圧の高気圧高酸素濃度空気を生成する例えばポンプ３２と、ポンプ３２で生成された高気圧高酸素濃度空気を、空隙ｓに注入するための注入管３４とから構成されている。
【００１５】
尚、高気圧高酸素濃度空気注入手段３０が生成する高気圧高酸素濃度空気は、酸素と空気とを、酸素３０％〜５０％、空気５０％〜７０％の割合で混合して生成したものが好ましい。また、高気圧高酸素濃度空気注入手段３０が生成する高気圧高酸素濃度空気の気圧は、常圧より高く２気圧以下の気圧に加圧されていることが望ましい。このような高気圧高酸素濃度空気注入手段３０が生成する高気圧高酸素濃度空気は、水ｗへの酸素の溶解度合いが高く、魚介類ｆの成長を促すことが可能となる。
【００１６】
以上のような構造の本実施の形態に係る飼育水槽１によれば、より簡易な構成により水ｗの酸素濃度を高めることができる。
【産業上の利用可能性】
【００１７】
本考案により、より簡易な構成により水の酸素濃度を高めることができる飼育水槽を提供することができる。
【符号の説明】
【００１８】
１・・・・飼育水槽
１０・・・水槽本体
２０・・・密封蓋
３０・・・高気圧高酸素濃度空気注入手段
３２・・・ポンプ
３４・・・注入管
【図１】
0003220005.tif 000003
(57)【要約】      （修正有）【課題】片手で持った時にお椀の滑りを防止することができる滑り防止付きお椀を提供する。【解決手段】お椀の周りに凹み形溝ライン２、３又は凸形ライン、又は、短めの凹み溝を刻み、浮彫に左右斜めにクロスにする事で滑りを防止する。【選択図】図１
0003220057.tif 000002
【実用新案登録請求の範囲】
【請求項１】
お椀の外周び凹み形ラインを施しお椀を持った時に滑らないように指が掛かりお椀の滑りを止める特徴である滑り防止付きお椀。
【請求項２】
お椀の外周に凸形ラインを施しお椀を持った時に滑らないように指が掛かりお椀の滑りを止める特徴である滑り防止付きお椀。
【請求項３】
お椀の外周に斜めの短い凹み形を溝を刻む、又（浮彫形）を左右クロスに施しお椀を持った時に滑らないように指が掛かりお椀の滑りを止める特徴である滑り防止付きお椀。
【考案の詳細な説明】
【技術分野】
【０００１】本考案は滑り防止付きお椀に関するものである。
【背景技術】
【０００２】しかし従来のお椀には滑り防止はなかった。
【先行技術文献】
【０００３】
【特許文献】
【特許文献】特開平８−８４６４９号公報
【０００４】
【非特許文献】
【非特許文献】『一生ものにしたい「汁お椀選び・・・プロが教える器」』株式会社三越伊勢丹  ｈｔｔｐｓ：／／ｍｉ−ｊｏｕｒｎｅｙ．ｊｐ／ｆｏｏｄｉｅ１４９４６３１
【考案の概要】
【考案が解決しようとする課題】
【０００５】  古い時代から使われてるお椀（器）に塗装とか漆などが塗られており、お椀を片手で持ち易い、そのためにお椀に入れたあるものがこぼれ汚してしまう、従って、お椀が滑らないように凹み形また凸形ラインを施工し解決しょうとするものである。
【課題を解決するための手段】
【０００６】  本考案はお椀（器）を片手で持った時に特に滑るために、お椀の周囲に凹み形ライン又は凸形ラインにし又（図５参照）斜めの短い凹みを刻む又浮き彫りに左右クロス状に施工する事で問題点を解決する。
【考案の効果】
【０００７】  凹み形溝、凸形ライン状の本数は好みに合わせ１本から数本にすることも可能である
上記の様にお椀の外周に凹み形溝又凸形ラインなどを施すことにより、お椀を手から滑りにくくなる効果がある、またデザイン的な効果もある。
【図面の簡単な説明】
【０００８】
【図１】  お椀の外周に凹み形溝を施した実施例を示す斜視図
【図２】  お椀の外周に凹み形溝を施した実施例を示す断面図
【図３】  お椀の外周に凸形ラインを施した実施例を示す斜視図
【図４】  お椀の外周に凸形ラインを施した実施例を示す断面図
【図５】  お椀の外周に凹み形溝（凸形）の短い凹みを彫り又浮彫に左右斜めにクロス状に施した実施例を示す斜視図。
【考案を実施するための形態】
【０００９】お椀の周囲に浅井凹み形溝ライン又は凸形ラインを施し実施する、又図５のお椀の周囲に２Ｂ，３Ｂの短い斜めの凹みを掘る、又（浮彫）を左右クロスにする事で手が滑らずお椀を滑り落とすことを防止される。
【実施例】
【００１０】    図面に従って実施例を説明する、図１、図２の１はお椀を示す、お椀の外周に複数本の凹み形溝ライン２、と３、を施し指が掛りお椀の滑り落とす事を防止するのである。【００１１】    図３、図４の１Ａはお椀を示す、お椀の外周に複数本の凸形ライン２Ａ、と３Ａ、を施し指が掛りお椀の滑り落とす事を防止するのである。【００１２】    図５の１Ｂはお椀を示す、お椀の外周に短めの凹み溝２Ｂ，３Ｂを刻む又（浮彫）を左右クロスにし指の滑りを防止するものである。
【符号の説明】
【００１３】    １      お椀本体。
２      凹み形溝ライン。
３      凹み形溝ライン。
１Ａ    お椀本体。
２Ａ    凸形ライン。
３Ａ    凸形ライン。
１Ｂ    お椀本体。
２Ｂ    短い凹み形溝又（浮彫）。」
３Ｂ    短い凹み形溝又（浮彫）。
【図１】
0003220057.tif 000003
【図２】
0003220057.tif 000004
【図３】
0003220057.tif 000005
【図４】
0003220057.tif 000006
【図５】
0003220057.tif 000007
【手続補正書】
【提出日】平成30年11月16日(2018.11.16)
【手続補正１】
【補正対象書類名】実用新案登録請求の範囲
【補正対象項目名】全文
【補正方法】変更
【補正の内容】
【実用新案登録請求の範囲】
【請求項１】
お椀の外周に凹み形ラインを施しお椀を持った時に滑らないように指が掛かりお椀の滑りを止める特徴である滑り防止付きお椀。
【請求項２】
お椀の外周に凸形ラインを施しお椀を持った時に滑らないように指が掛かりお椀の滑りを止める特徴である滑り防止付きお椀。
【請求項３】
お椀の外周に斜めの短い凹み形の溝を刻むか、もしくは短い凹み形の浮彫形を施しお椀を持った時に滑らないように指が掛かりお椀の滑りを止める特徴である滑り防止付きお椀。
(57)【要約】      （修正有）【課題】汚物処理を、スマートで単純化した犬の散歩用糞処理器を提供する。【解決手段】自動車の２本の伸縮アンテナと、水溶性の紙からなる犬の散歩用糞処理器であって、水溶性の紙は、二つのアンテナ差込口と、糞を受け入れる開放部が形成されており、アンテナ差込口の同各先端部分に、伸縮アンテナをそれぞれ挿通させることで、汚物処理を、スマートで単純化した。【選択図】図１
0003224404.tif 000002
【実用新案登録請求の範囲】
【請求項１】
簡単に自動車のアンテナを、利用して伸縮の糞取器を作成し、
汚物処理をスマートで単純化し可能にした、犬の散歩用糞処理器。
【考案の詳細な説明】
【技術分野】
【０００１】
本考案は、衛生管理が行き届いている、わが国に於いて、犬の散歩上、
犬の糞処理のために、常にバックを、常持しなければならない。
持ち帰った汚物処理を、簡単にトイレに流し汚物処理が可能となる。
【背景技術】
【０００２】
日本に於ける住宅事情と高齢化しつつある、人と犬の存在が、癒しの原点。
現状
【先行技術文献】
【特許文献】
【０００３】
【特許文献１】実用新案法第３２０９８４６号    広報
【考案の概要】
【考案が解決しようとする課題】
【０００４】
従来の汚物処理は、犬本来の性質で、散歩途中散策しながら臭いを嗅ぎお尻を
向け尻尾をあげ、草むらへ糞をする行為を従来ある汚物取では、紙袋の中に
ビニール袋があり、そこへ手を入れ袋に包め、バックに入れて持ち帰る、
臭いと、手で糞をつかむ行為は、気持ち悪いし、草むらには残留汚物が、
いくらか残り、手で掴んだ感触は嫌なものである。毎日、日々の行為は、
気持ち良いものでは無い。
【課題を解決するための手段】
【０００５】
現在、自動車のアンテナは、昔と違い新方法で、装着され、後方の外部の
真中に付いています。昔の運転席の外側に装着は軽トラックに辛うじての
需要があり、そのアンテナを利用して伸縮７５ｃｍのアンテナ２本で水溶性の紙
を使用し、犬の汚物を立ったまま、掬い取り口を閉めリードへ装着した袋へ投下
し、自宅へ持ち帰り、袋の下の両面テープを剥がし、トイレに流し、
翌日分として、水溶紙を横ポケットに補充する
【考案の効果】
【０００６】
上記の動作により、人の手を汚物も手に触る違和感も感じず、毎度汚物バックも
持つ事なく、犬の散歩が老若男女を、問わず、都会や田舎でも清潔で、簡単に
汚物を触る事なく人も犬も今からは、家族の一員であると共に、人の癒しに
となり、なるべく共存していくためには、手掛け無の方が良い。
【図面の簡単な説明】
【０００７】
【図１】本考案の実施と伸短した状態。
【図２】水溶紙のアンテナ差込口と、糞を受け入れる開放部
【図３】実際に汚物を受け入れた状態
【図４】リードに汚物用の袋を装着している状況
【図５】汚物の挿入状態
【図６】汚物をトイレへ流入
【図１】
0003224404.tif 000003
【図２】
0003224404.tif 000004
【図３】
0003224404.tif 000005
【図４】
0003224404.tif 000006
【図５】
0003224404.tif 000007
【図６】
0003224404.tif 000008
【手続補正書】
【提出日】令和1年9月18日(2019.9.18)
【手続補正１】
【補正対象書類名】実用新案登録請求の範囲
【補正対象項目名】全文
【補正方法】変更
【補正の内容】
【実用新案登録請求の範囲】
【請求項１】
自動車の２本の伸縮アンテナと、水溶性の紙からなる犬の散歩用糞処理器であって、前記水溶性の紙は、二つのアンテナ差込口と、糞を受け入れる開放部が形成されており、前記アンテナ差込口の同各先端部分に、前記伸縮アンテナをそれぞれ挿通させることで、汚物処理を、スマートで単純化し可能にした犬の散歩用糞処理器。
(57)【要約】      （修正有）【課題】太めの枝を小さな力で切断でき、枝がはさみの先端方向に逃げるのを防ぐことができる剪定ばさみを提供する。【解決手段】刃の形状を根元から半分ほどまで波状にする。【選択図】図１
0003224402.tif 000002
【実用新案登録請求の範囲】
【請求項１】
剪定ばさみの刃の形状
【考案の詳細な説明】
【技術分野】
【０００１】刃の形状の工夫。
【考案の概要】
【考案が解決しようとする課題】従来の剪定ばさみで太めの枝を切るとき、大きな力が必要で、枝がはさみの先端方向に逃げていき、うまく切断できない。
【課題を解決するための手段】刃の形状を一部波状にする。
【考案の効果】枝が刃の先端方向に逃げることを防ぎ、又波状にすることで力を分散し、より小さい力で切断できる。
【図面の簡単な説明】
【図１】切断用の刃の根元から半分ほどに波状の刃を形成する。
【図１】
0003224402.tif 000003
【手続補正書】
【提出日】令和1年10月7日(2019.10.7)
【手続補正１】
【補正対象書類名】実用新案登録請求の範囲
【補正対象項目名】全文
【補正方法】変更
【補正の内容】
【実用新案登録請求の範囲】
【請求項１】
刃の根元から半分ほどまでに波状の刃を形成した剪定ばさみ。
(57)【要約】      （修正有）【課題】非力な子供や高齢者でも、訓練や体力に頼らず、ベッド上の人を簡単にフルリクライニング車椅子へ、又は、フルリクライニング車椅子からベッドに移動ができる移動器具を提供する。【解決手段】ベッド２下に取り付けた電動モーター３のワイヤー７をフルリクライニング車椅子１に取り付けた滑車４に通し、ベッド２上の人を寝かした移動ボード５と組み合わせた、電動モーター３を回転させることで、人をベッド２からフルリクライニング車椅子１に移動させる移動器具であって、電動モーター３と電源の中間にフットスイッチ６を取り付けることで、速度の微調整が出来、介護者の両手が使える事でより安全性が確保できる。【選択図】図１
0003224406.tif 000002
【実用新案登録請求の範囲】
【請求項１】
ベット下に取り付けた電動モーターのワイヤーをフルリクライニング車椅子に取り付けた滑車に通しベット上の人を寝かした移動ボードに引っかけ組み合わせ電動モーターを回転さすことで人をベットからフルリクライニング車椅子に移動さす移動器具。
【請求項２】
ベット下に取り付けた電動モーターのワイャーをベットに取り付けた滑車に通しベット上の人を寝かした移動ボードに引っ掛け組み合わせ電動モーターを回転さすことで人をフルリクライニング車椅子からベットに移動さす移動器具。
【請求項３】
電動モータと電源の中間にフットスイッチを取り付けることで、速度の微調整が出来、介護者の両手が使える事でより安全性が確保出来る移動器具。
【考案の詳細な説明】
【技術分野】
【０００１】  本考案は、ベット下に取り付けた電動モーターとベット上の患者を乗せたボ−ドを組み合わせた移動器具にかんする。
【背景技術】
【０００２】  人の労力による、患者の抱きかかえての移動は膝や腰への負担が大きく又、異性、同性の抱え込み移動は精神的、肉体的苦痛も大きい。
【考案の開示】
【考案が解決使用とする課題】
【０００３】  力や、訓練を必要としない非力の子供や高齢者でも、簡単に短時間で訓練の必要無くベット上の人を車椅子、ベットに移動さす器具。
【課題を解決するためのシ手段】
【０００４】  ベットの下に取り付けた電動モーターのワイヤーをフルリクライニング車椅子に取り付けた滑車にとうし、ベット上の人の乗った移動シートに引っかけ組み合わせ、電動モーターを回転さすことで、ベットからフルリクライニング車椅子へ、フルリクライニング車椅子からベットに異動さす。
又、フットスイッチを付けることで、微調整と、両手が使えて安全安心。
【考案の効果】
【０００５】  よつて、電動モーターを使うことで非力な子供や高齢者でも、訓練や体力に頼らずベット上の人を簡単にフルリクライニング車椅子へ、フルリクライニン車椅子からベットに移動ができる。
又、抱きかかえる必要がないのは肉体的、精神的苦痛から免れる。
フットスイッチを付けることで、速度微調整と両手が使えて安全、安心。
【考案を実施するための最良の形態】
【０００６】  ベット下に取り付けた電動モーターのワイヤーをフルリクライニング車椅子やベットに取り付けた滑車に通し、ベット上の人の乗った移動シートに取り付け組み合わせ、フットスイッチで微調節しながら電動モーターを回転しベットからフルリクライニンング車椅子に、フルリクライニング車椅子からベットに異動する事が出来る。
【図面の簡単な説明】
【０００７】
【図１】  本考案のベット上の人をベットからフルリクライニング車椅子に異動する図。フルリクライニング車椅子の人をベットに異動する図。
【符号の説明】
【０００８】１      フルリクライニング車椅子
２      ベット
３      電動モーター
４      滑車
５      移動シート
６      フットスイッチ
７      ワイヤー
【図１】
0003224406.tif 000003
【手続補正書】
【提出日】令和1年10月7日(2019.10.7)
【手続補正１】
【補正対象書類名】実用新案登録請求の範囲
【補正対象項目名】全文
【補正方法】変更
【補正の内容】
【実用新案登録請求の範囲】
【請求項１】
ベット下に取り付けた電動モーターのワイヤーをフルリクライニング車椅子に取り付けた滑車に通しベット上の人を寝かした移動ボードに引っかけ組み合わせ電動モーターを回転さすことで人をベットからフルリクライニング車椅子に移動さす移動器具。
【請求項２】
ベット下に取り付けた電動モーターのワイヤーをベットに取り付けた滑車に通しベット上の人を寝かした移動ボードに引っかけ組み合わせ電動モーターを回転さすことで人をフルリクライニング車椅子からベットに移動さす移動器具。
【請求項３】
電動モーターと電源の中間にフットスイッチを取り付けることで、速度の微調整が出来、介護者の両手が使える事でより安全性が確保できる請求項１または２記載の移動器具。
(57)【要約】【課題】よりユーザーが楽しめたり店舗の売り上げが自然に向上する様な工夫を施したラベル印刷済みシートの提供。【解決手段】薄肉状の平面部材２にラベル３が印刷されたラベル印刷済みシートであって、前記平面部材２の表面には複数の前記ラベル３が千鳥状に配列されており、前記ラベル３は企業が取扱う物品又は役務に関する情報を表したものである。【選択図】図１
0003224500.tif 000002
【実用新案登録請求の範囲】
【請求項１】
薄肉状の平面部材にラベルが印刷されたラベル印刷済みシートであって、
前記平面部材の表面には複数の前記ラベルが千鳥状に配列されており
前記ラベルは企業が取扱う物品又は役務に関する情報を表したものである、ラベル印刷済みシート。
【請求項２】
前記平面部材の表面には、撥水加工が施されている、
請求項１に記載のラベル印刷済シート。
【請求項３】
前記ラベルはぶどう酒を梱包している木箱の側面に表示された前記ぶどう酒のロゴマークであって、
前記平面部材の表面にはユーザーが前記表面を触れた時に前記木箱の質感を感じる事が出来るための加工が施されている、
請求項１または２に記載のラベル印刷済シート。
【考案の詳細な説明】
【技術分野】
【０００１】本考案は「ラベル印刷済みシート」に関する
【背景技術】
【０００２】  レストランの店舗などでは食器の下にランチョンマットが敷かれる場合がある。そのマットは食事中のユーザーに見られる。
【考案の概要】
【考案が解決しようとする課題】
【０００３】  ユーザーが見る機会の多いランチョンマットなどにより、ユーザーが楽しめたり、店舗の売り上げが自然に向上するような工夫を施したものはなかった。【０００４】  そこで本考案は上記工夫を施したラベル印刷済みシートを提供することを目的とする。
【課題を解決するための手段】
【０００５】  本考案は「ラベル印刷済みシート」に関する【０００６】  薄肉状の平面部材にラベルが印刷されたラベル印刷済みシートであって、前記平面部材の表面には複数の前記ラベルが千鳥状に配列されており
前記ラベルは企業が取扱う物品又は役務に関する情報を表したものであるラベル印刷済みシートである。【０００７】  前記平面部材の表面には、撥水加工が施されている。
前記ラベルはぶどう酒を梱包している木箱の側面に表示された前記ぶどう酒のロゴマークであって、前記平面部材の表面にはユーザーが前記表面を触れた時に前記木箱の質感を感じる事が出来るための加工が施されている。
【考案の効果】
【０００８】    本考案によればよりユーザーが楽しめたり、店舗の売り上げが向上することができる。カトラリーをセットすれば簡単にヨーロッパのレストランをイメージさせワインを飲みたくなる雰囲気を作れる。
【図面の簡単な説明】
【０００９】
【図１】ラベル印刷済みシートの平面図である。
【図２】ラベル印刷済みシートの用途例である。
【考案を実施するための形態】
【００１０】  薄肉状の平面部材にラベルが印刷されたラベル印刷済みシートであって、前記平面部材の表面には複数の前記ラベルが千鳥状に配列されており、
前記ラベルは、企業が取扱う物品又は役務に関する情報を表したラベル印刷済みシートである。
前記平面部材の表面には、撥水加工が施されている。
前記ラベルは、ぶどう酒を梱包している木箱の側面に表示された前記ぶどう酒のロゴマークであって、前記平面部材の表面には、ユーザーが前記表面を触れた時に前記木箱の質感を感じる事が出来るための加工が施されている。
【００１１】  図１のラベル印刷済みシート１は、薄肉状の平面部材２を有する。この図１のラベル印刷済みシート１は、図２に示す様に、ワイン木箱デザインランチョンマットとして用いた例である。
平面部材２には、図１に示す様に、ラベル３が印刷されている。そのラベル３は、店舗や企業の商品や役務に関する情報を表したものである。例えば、通常ワインの木箱に印字されているワインのロゴマークがラベル３であることができる。
ラベル３は、図１では縦に５列、横に４又は５個ずつ計２３個が平面部材２に印刷されている。特に見栄えの点から、ラベル３は千鳥状に配列されている。なお、ラベル３の列の数や印字の数は図１に限定されない。
これにより、ワインなどのアルコールの売上構成比の向上、テーブルセッティングの時短化、テーブルの衛生面、店内の雰囲気作り、おもてなし姿勢の訴求を解決することができる。
他の用途としては、ラベル３を日本酒のラベルやレストランの店名にすることもできる。図２はランチョンシートの例であるが、他の用途に用いる事が出来る。他の用途とはポスターや紙袋などが挙げられる。
【符号の説明】１  ラベル印刷済シート
２  平面部材
３  ラベル
【図１】
0003224500.tif 000003
【図２】
0003224500.tif 000004
(57)【要約】      （修正有）【課題】Ａ２サイズまでの掲示板を安定的に自立させる自立型フレキシブル掲示板ホルダーを提供する。【解決手段】ホルダー載置部のスリット幅を汎用掲示板の最大厚さを想定して広げ、ホルダー背面板の高さを掲示板４の傾斜を抑制する高さにすると共に、ホルダー載置部前面の中央上部に相当する背面板の位置に、ボルトを貫通する穴を開け、そこに板（Ｕ）ナット６を固定し、ボルト５で掲示板背面をホルダー前面板２に押し付けることにより、Ａ２サイズまでの掲示板の安定した自立を可能とした。【選択図】図２
0003224492.tif 000002
【実用新案登録請求の範囲】
【請求項１】
掲示板ホルダー前面部とその後側に設けられた背面部の間に形成された載置部（スリット）を備え、スリットにフォトフレームなどの掲示板下側又は側面下部を、挟持することにより掲示板を自立させ、ホルダースリット前面中央上部に相当する背面板箇所に、ボルト貫通穴を開け、この位置に板（U）ナットを固定、掲示板抑えボルトのねじ込み量を調整することにより、掲示板とスリットの隙間で生じるスベリを調整可能に、Ａ２サイズまでの掲示板を自立させることを特徴とした自立型フレキシブル掲示板ホルダー。
【考案の詳細な説明】
【技術分野】
【０００１】
本考案は、Ａ２以下のフォトフレーム（写真額縁）やホワイトボードなどの掲示板を、自立した形で掲示するため、ホルダーの上部または側面スリットに掲示板を嵌め込み挟持する自立型掲示板ホルダーで、前面には、はんこやレーザ加飾およびデザイン名刺などで自分好みの表現方法を取り入れて、付加価値の向上を図った。
【背景技術】
【０００２】
A４以下の小型ボードについては、背面に丁番で自立可能な支持板を取り付ける方法や三脚に掲示板載置部を設けることが多いが、A4以上のフォトフレームなどの掲示では、支持板や三脚が大きくなり場所をとることから、紐などで吊り下げる方式が多い。
【先行技術文献】
【特許文献】
【０００３】
【特許文献１】実用新案  第3030408号公報
【特許文献２】実用新案  第3211831号公報
【特許文献３】実用新案  第 3212685号公報
【考案の概要】
【０００４】
継続して情報を伝えるには、表示シートを張り出す、またはフォトフレームなどで保護・収納した掲示板が考えられ、これらを自立して傾斜を持たせ観やすくするため、掲示板背面に丁番で直接支持板を取り付ける方法や吊り下げ型が多いが、
スリットを持つホルダー前面部に、はんこスタンプやレーザ加飾、名刺デザインカードを付加することを特徴とした。
【０００５】
掲示板の厚さがメーカや大きさなどによって異なるため、ホルダーのスリット幅を広げると共に、ホルダー背面板の適当な箇所に、ボルト貫通穴を開け、この位置に板（U）ナットを固定、掲示板抑えボルトのねじ込み量を調整可能とすることにより、Ａ２サイズまでの掲示板を安定的に自立させることを可能とした。
【考案が解決しようとする課題】
【０００６】
イ  Ａ４サイズ以上のホワイトボードやフォトフレームの自立ホルダーは、設置場所などから普及が進まず、壁掛け方式が多く、スリットによる自立型ホルダーは、掲示板との関連が薄く個別対応となり普及していない。
ロ.  会社や団体で使用して貰うためには、品質重視で専門業者に製作を依頼すると、小ロットではコスト高になり、１００円ショップでの汎用品との差別化が難しい。      
【課題を解決するための手段】
【０００７】
1.  ホルダーのスリットで掲示板の自立を保持するには、掲示板の厚さとホルダーのスリット幅に隙間が大きくなると、掲示板の傾きで重心がズレ安定した自立が難しくなる、このためホルダー背面を高くするほか、掲示板下部を押さえ付けて立たせる必要があり、板（U）ナットとボルトネジで固定した。 
２. 掲示板ホルダー１個の幅をＡ５以下の掲示板ホルダー用として、２個の掲示板ホルダーを左・右に配置または側面を挟持することで、Ａ３サイズ掲示板ホルダーとしての利用方法を考えた。
３. 賛同する団体や仲間を募り、デザインの共用化を図るほか、需要を掘り起こし、ホルダー製作のロットサイズを大きくできれば、専門業者との協働体制が生まれ、品質と単価のバランスが取れ、普及が加速する。
【考案の効果】
【０００８】
従来小型ホルダーのスリットでA2横やA3縦サイズの掲示板を自立して掲示することができず、普及が進まなかったが、本考案によりフレキシブル掲示板ホルダーとして活用する道が拓けた。
【０００９】
宣伝を含む会社・団体向けでは、展示会などでの自社製品の紹介用として、名刺サイズホルダーのデザインにより、会社・団体の紹介名刺と合わせ、成果物の説明掲示にも利用でき。掲示板（ボード）の厚さや大きさによって異なる問題は、
ホルダーのスリット幅を汎用掲示板の最大厚さを想定して広げて、Ａ２サイズまでの掲示板を安定的に自立させることが
可能となった。
【００１０】
自立型掲示板ホルダーを別途準備したため、掲示板裏面に、薄型ミラーなども装着することが可能となり、掲示板の表・裏両面使用が可能となった、
【図面の簡単な説明】
【００１１】
【図１】・・・掲示板ホルダー載置部（スリット）
【図２】・・・掲示板抑えボルト構成図
【図３】・・・名刺サイズ背面―板（Ｕ）ナット固定図
【図４】・・・はんこサイズ掲示板ホルダー実施例
【図５】・・・名刺サイズ掲示板ホルダー実施例
【考案を実施するための形態】
【００１２】
（第１実施形態）
はんこと名刺サイズホルダーの製作に関して、自分好みのデザインを持つオリジナルホルダー製作に向け、近隣地域で対面販売を実施、事業化に向けた感触を掴む。
【００１３】
（第２実施形態）
企業や団体の宣伝・展示用に県産材を使った自立型掲示板を展示会などで実際に使って貰い、掲示板ホルダーの商品化に目途を立てることで  需要が見込めれば地域を広げ普及を図る
【００１４】
（第３実施形態）
普及に目途が立ち、情報処理技術者などの賛同が得られれば, 全国モクコレ展示会などを通じて、地産・地消に向けた
共同事業者を探して，商品化やデザインの共有化などを通じて、事業の継続性を確保する。
【産業上の利用可能性】
【００１５】
第三実施形態が可能となれば、子供たちへのものづくりデザイン教育や地域の森林保護への取り組みを通じたコミュニケーション促進ツールとして集客効果が確認できれば、地域活性化に向けた取り組みが可能となる。
【符号の説明】
【００１６】
１  掲示板載置部（スリット）
２  ホルダー前面部（板）
３  ホルダー背面部（板）
４  掲示板
５  掲示板抑えボルト
６  板（U）ナット
７  ホルダー支持棒
８  ボルト＆ナット取り付け姿図
９  はんこサイズ掲示板ホルダー実施例
１０  名刺サイズ掲示板ホルダー実施例
【図１】
0003224492.tif 000003
【図２】
0003224492.tif 000004
【図３】
0003224492.tif 000005
【図４】
0003224492.tif 000006
【図５】
0003224492.tif 000007
(57)【要約】      （修正有）【課題】トイレに行った際、広幅のズボン、キュロットスカート等の裾が床面、便器に接触しないように、膝上で巻き付けて止めることにより、衣類の汚れを防止する裾止め具を提供する。【解決手段】丸みのあるフック１の穴部２を設け、穴部２に伸縮性のあるゴム紐５を通し、伸縮性のあるゴム紐５に伸縮性ゴム紐の端６を設け、伸縮性のあるゴム紐５をツメ付き紐止め金具４で固定し、結んだゴム紐の結び目をツメ付き紐止め金具４で隠し、なおかつ、固定部３を設けてフック１がゴム紐部分を移動しないように工夫している。【選択図】図１
0003224426.tif 000002
【実用新案登録請求の範囲】
【請求項１】
丸みのあるフック（１）の穴部（２）を設け、穴部（２）に伸縮性のあるゴム紐（５）を通し、伸縮性のあるゴム紐（５）に伸縮性ゴム紐の端（６）を設け、伸縮性のあるゴム紐（５）をツメ付き紐止め金具（４）で固定し、結んだゴム紐の結び目（７）をツメ付き紐止め金具（４）隠し、なおかつ、固定部（３）を設けてフック（１）がゴム紐部分を移動しないように工夫していることを特徴としている裾止め具。
【考案の詳細な説明】
【技術分野】
【０００１】  本考案は、トイレに行った際、広幅のズボン、キュロットスカート等の裾が床面、便器に接触しないように、膝上で巻き付けて止めることにより、衣類の汚れを防止する裾止め具に関するものである。
【背景技術】
【０００２】  従来、広幅のズボン、キュロットスカート等でトイレに入った際は、裾を折り曲げたり、手でたくしあげて抑えながら汚れを防いでいた。
左右２本必要なため、従来の幅広のベルト状の物は、携帯するにはポケットに入らず装着、取り外しをするにも時間がかかった。
また、足首で止めるには、前にかがむようにして装着しなければならないので大変であった。
【先行技術文献】
【特許文献】
【０００３】
【特許文献１】特開２０１９−４４３１４号公報
【考案の概要】
【考案が解決しようとする課題】
【０００４】    そのために次のような問題点があった。
（イ）帯状の布、またはゴムを使用した留め具が公開されているが、幅が広いため、ポケットに携帯しにくいという課題と瞬時に取り付け取り外しがしにくい、という課題があった（特許文献１参照）。
（ロ）広幅のズボン、キュロットスカート等をはいている状態でトイレを使用すると裾がトイレの床、便器に接触してしまった。
（ハ）裾で止めても上からズボンを下してくると止めた場所までズボンが落ちてくるため、膝上で止めるのに一番利便性があるが材質的に伸びにくく止めるには大変な状態だった。
（ニ）トイレが混んでいる際は、瞬時に装着し、取り外しをしなければならない。
（ホ）安価で大量生産しやすい材料と形状を選択する必要がある。
（ヘ）従来の物は、携帯するには大き過ぎて重く、左右２本使用するのでズボンのポケットに入れるにはかさばった。
本考案は以上のような問題点を解決しようとするものである。
【課題を解決するための手段】
【０００５】  丸みのあるフック（１）の穴部（２）を設け、穴部（２）に伸縮性のあるゴム紐（５）を通し、伸縮性のあるゴム紐（５）に伸縮性ゴム紐の端（６）を設け、伸縮性のあるゴム紐（５）をツメ付き紐止め金具（４）で固定し、結んだゴム紐の結び目（７）をツメ付き紐止め金具（４）隠し、なおかつ、固定部（３）を設けてフックがゴム紐部分を移動しないように工夫していることを特徴としている裾止め具。【０００６】  伸縮ゴム紐（５）は、伸びるが巻き付ける足が太い場合は、ゴムを長くしてもよいし、太めのゴム紐を使用しても良い。
その場合は、ツメ付き紐止め金具も少し大きいサイズにする必要がある。
【考案の効果】
【０００７】（イ）本裾止め具を使用することにより膝上で巻き付けてフックに引っ掛けて止めるので、ズボン等を下しても床面、便器に接触しない。
（ロ）膝上で装着しても伸縮ゴム紐なので伸び縮みする。
（ハ）引っ掛け易いフックなので装着、取り外しも瞬時にできる。
（ニ）全体的に軽く薄く小さくなるので、左右２本をポケットに入れておくことができる。
（ホ）丸みのあるフックなのでポケットに入れても衣類を傷つけにくい。
（ヘ）安価で大量生産ができる。
【図面の簡単な説明】
【０００８】
【図１】  本考案の全体構成を示した正面図である。
【図２】  本考案の使用時の形状を示した斜視図である。
【図３】  本考案のツメ付紐止め金具の形状を示した斜視図である。
【図４】  本考案の使用状態を示した斜視図である。
【考案を実施するための形態】
【０００９】  以下、本考案の実施の形態を説明する。
丸みのあるフック（１）の穴部（２）を設け、穴部（２）に伸縮性のあるゴム紐（５）を通し、伸縮性のあるゴム紐（５）に伸縮性ゴム紐の端（６）を設け、伸縮性のあるゴム紐（５）をツメ付き紐止め金具（４）で固定し、結んだゴム紐の結び目（７）をツメ付き紐止め金具（４）隠し、なおかつ、固定部（３）を設けてフック（１）がゴム紐部分を移動しないように工夫していることを特徴としている裾止め具である。
図３に示すように、フック（１）の穴部（２）に本体伸縮性ゴム（５）を通して外れないように両端を結ぶ。
固定部（３）を設け、ツメ付き紐止め金具（４）に結んだ部分（７）を入れ込み両端を折りたたんで止める。
商品的にきれいに、なおかつ、衣類に引っかからないように配慮している。
本案は以上のような構成である。
本考案の使い方を説明する。
図４のように、本裾止め具は、膝上部分に裏側から前へ伸縮ゴム紐（５）を回しフック（１）に伸縮性ゴム紐の端（６）を引っ掛けて使用する。
右利きでも左利きでも引っ掛けやすい。
ツメ付き紐止め金具（４）を付けることにより、結んだゴム紐（５）の結び目を隠すことができる。
ツメ付き紐止め金具（４）で固定部を設け、フック（１）がゴム紐のあちこちに移動するのを防ぐことができる。
伸縮性ゴム紐、ツメ付き紐止め金具（４）は、足の太さにより大きなサイズに替えられる。
【符号の説明】
【００１０】  １  フック
２  穴部
３  固定部
４  ツメ付紐止め金具
５  本体伸縮性ゴム紐
６  伸縮性ゴム紐の端
７  ゴム紐の結び目
【図１】
0003224426.tif 000003
【図２】
0003224426.tif 000004
【図３】
0003224426.tif 000005
【図４】
0003224426.tif 000006
(57)【要約】      （修正有）【課題】電源プラグや電源インレット等に装着して電磁場をシールドするアタッチメントを提供する。【解決手段】電源プラグや電源インレットの端子に装着する開口部を設けたゴムマグネット３と銅合金メッシュ１とシルク布２とを複数枚重ね固着したアタッチメントであって、電源プラグ６や電源インレットの端子に装着する。プラス端子７とマイナス端子８とに、それぞれゴムマグネットと銅合金メッシュとシルク布の配列の仕方を変えて着装することで、電磁場シールド効率を飛躍的に高めることができる。【選択図】図１
0003224425.tif 000002
【実用新案登録請求の範囲】
【請求項１】
電源プラグ（６）のプラス端子（７）に着装する開口部（４）を設けたゴムマグネット（３）と銅合金メッシュ（１）とシルク布（２）とを、ゴムマグネット（３）が銅合金メッシュ（１）やシルク布（２）に比べ電源プラグ（６）から離れて位置するよう複数枚重ね固着したものと、電源プラグ（６）のマイナス端子（８）に着装する開口部（５）を設けたゴムマグネット（３）と銅合金メッシュ（１）とシルク布（２）とを、ゴムマグネット（３）が銅合金メッシュ（１）やシルク布（２）に比べてより電源プラグ（６）寄りに位置するよう複数枚重ね固着したものと、それら二つをワンセットにした電源用電磁場シールドアタッチメント。
【請求項２】
電源プラグ（６）のプラス端子（７）に着装する開口部（４）を設けたゴムマグネット（３）と開口部（４）より小さな穴が複数個あいている銅合金板とシルク布（２）とを、ゴムマグネット（３）が当該銅合金板やシルク布（２）に比べ電源プラグ（６）から離れて位置するよう複数枚重ね固着したものと、電源プラグ（６）のマイナス端子（８）に着装する開口部（５）を設けたゴムマグネット（３）と当該銅合金板とシルク布（２）とを、ゴムマグネット（３）が当該銅合金板やシルク布（２）に比べてより電源プラグ（６）寄りに位置するよう複数枚重ね固着したものと、それら二つをワンセットにした電源用電磁場シールドアタッチメント。
【考案の詳細な説明】
【技術分野】
【０００１】  この考案は、電源プラグとコンセントの間に着装して電磁場をシールドするアタッチメントに関するものである。具体的には電源プラグの端子に装着して電源プラグとコンセントから発生する電磁場及び外部から入り込む電磁場をシールドし、ノイズを除去することで高音質を得ることを目的とする。
【背景技術】
【０００２】  先行技術として、パソコンとＵＳＢケーブルの間に電磁場シールド材を装着して電磁場をシールドする試みがある。具体的にはＵＳＢ端子に装着する開口部をもつ銅合金メッシュとシルク布を複数個重ね、ＵＳＢ端子に装着してパソコン及びＵＳＢ端子等から発生する電磁場を除去する試みである。実用―３１９８７３４を参照。
本技術は、電源プラグとコンセントの間に本考案を着装して電磁場をシールドすることであり、ＵＳＢの場合とは異なり音響機器を駆動する電源そのものをクリーンにすることにある。
【考案が解決しようとする課題】
【０００３】  音響関係ではクリーンな電源の需要が高い。これまで電源プラグとコンセントの間に着装する安価で取り付けが簡単なものはなかった。
【課題を解決するための手段】
【０００４】  本考案は、電源プラグのプラス端子に着装する開口部を設けたゴムマグネットと銅合金メッシュと絹布とを、複数枚重ね固着した電磁場シールドアタッチメントである。
電源プラグのプラス端子に着装する本考案のセットの仕方は、ゴムマグネットの位置が銅合金メッシュや絹布より電源プラグから離れて位置するようにし、電源プラグのマイナス端子に着装する本考案のセットの仕方は、ゴムマグネットの位置が銅合金メッシュや絹布より電源プラグ寄りに位置するようにする。このようにゴムマグネットの位置を変えているのは、電子の流れの向きを考慮してのことである。
【考案の効果】
【０００５】  電源プラグのプラス端子とマイナス端子とを区別して本考案を装着することで、ノイズを除去したクリーンな電源を得ることができる。電源プラグと同じく電源インレットにも本考案を装着することで、更にノイズの除去効率が高まる。
またゴムマグネットとシルク布はスピーカーの音圧による振動を軽減する作用も期待できる。なお、使用する状況にもよるがゴムマグネットの代わりにマグネット板も利用してよい。
経済面から見ると、素材がゴムマグネットと銅合金メッシュそしてシルク布であることから、安価に本考案を提供できるだけでなく、ランニングコストも不要、かつメンテナンスも不要である点も特筆すべきである。
応用面では、電源プラグや電源インレット以外にもアンプとスピーカーを結ぶ際に使用されるバナナプラグなどにも利用できる。テレビの電源にも使用でき音響だけでなく画質の向上にも寄与する。
【考案を実施するための最良の形態】
【０００６】  本考案は、電子の流れの向きつまり電源のプラスとマイナスとを区別し、電源のプラスとマイナスに応じた本考案のセット方式を採用することで電磁場のシールド効率を飛躍的に向上させることができる。
【図面の簡単な説明】
【図１】  本考案の斜視図
【符号の説明】  １．銅合金メッシュ
２．シルク布
３．ゴムマグネット
４．プラス端子に着装する開口部
５．マイナス端子に着装する開口部．
６．電源プラグ
７．プラス端子
８．マイナス端子
【図１】
0003224425.tif 000003